(57)【要約】【課題】光学アクセサリーを装着した撮影レンズにおいてケラレ等が生じないようにするための撮影条件（光学アクセサリーの使用条件）を、光学アクセサリーのメモリに記憶されたデータによって特定できるようにすることによって、そのデータを読み出して自動的に撮影レンズをその撮影条件の範囲に制限して制御できるようにし、光学アクセサリーによってケラレが生じる不具合などなく、また、操作者がそのための光学アクセサリーの使用条件を意識することなくレンズ操作を行うことができるようにした光学アクセサリー及びその光学アクセサリーが適用されるレンズ制御システムを提供する。【解決手段】撮影レンズ１０の前端に装着される光学アクセサリー１６には、その使用条件を示すデータを記憶したメモリ１８が設置される。そのメモリ１８のデータはドライブユニット１２に読み取られ、レンズ操作がその使用条件に制限される。【選択図】      図１
2004295004.tif 000002
【特許請求の範囲】
【請求項１】
撮影レンズの光学特性を変更するために該撮影レンズに着脱可能に装着される光学アクセサリーにおいて、
前記光学アクセサリーが装着された撮影レンズの変更可能な撮影条件の範囲に関する制限を示す前記光学アクセサリーの使用条件を特定するためのデータを記憶したメモリを備えたことを特徴とする光学アクセサリー。
【請求項２】
前記メモリに記憶されるデータは、前記光学アクセサリーが装着可能な撮影レンズの種類と該種類に対応した前記光学アクセサリーの使用条件を示したデータであることを特徴とする請求項１の光学アクセサリー。
【請求項３】
請求項１に記載の光学アクセサリーが適用されるレンズ制御システムであって、
前記撮影レンズに装着された前記光学アクセサリーのメモリに記憶されたデータを取得し、該取得したデータに基づいて前記光学アクセサリーの使用条件に適合する撮影条件の範囲に制限して前記撮影レンズを制御することを特徴とするレンズ制御システム。
【発明の詳細な説明】
【０００１】
【発明の属する技術分野】
本発明は光学アクセサリー及びその光学アクセサリーが適用されるレンズ制御システムに関し、特に光学アクセサリーが装着された撮影レンズの変更可能な撮影条件（焦点距離等）の範囲に関して制限が生じる場合に適用される光学アクセサリー及びその光学アクセサリーが適用されるレンズ制御システムに関する。
【０００２】
【従来の技術】
テレビカメラ用の撮影レンズには、撮影に応じた好適な光学特性に変更するための各種光学アクセサリーが装着できるようになっている。光学アクセサリーは主に撮影レンズの前面側に装着され、光学アクセサリーの種類としては、例えば、撮影レンズの焦点距離をテレ側に拡大するテレコンバータ、撮影レンズの焦点距離をワイド側に拡大するワイドコンバータ、画面のアスペクト費を１６：９から４：３に切り替えたときに変化する画像サイズを本来のサイズに変換するためのレシオコンバータなどが良く知られている（例えば、特許文献１参照）。また、ワイド端のみで使用でき、ワイド端をより広角にするワイドアタッチメントや、同じくワイド端のみで使用でき、ワイド端をより広角にすると共に魚眼効果を与えるフィッシュアイアタッチメントなども知られている。
【０００３】
【特許文献１】
特開２００１−３３３３１５号公報
【０００４】
【発明が解決しようとする課題】
ところで、上述のような光学アクセサリーを撮影レンズに装着すると、像のケラレが生じる場合がある。一般に撮影レンズのズームをワイド側に移動させると、光学アクセサリーや撮影レンズのフレーム部分によってケラレが生じる場合があり、特にテレコンバータではケラレが生じる場合が多い。
【０００５】
また、ワイドアタッチメント等のように撮影レンズのズームをワイド端で使用しなければならないなどの光学アクセサリーを使用する場合での使用条件が規定されている場合もある。
【０００６】
しかしながら、従来、光学アクセサリーを撮影レンズに装着した場合のレンズ操作は特に制限されることはなく、操作者がケラレが生じないようにズームの操作範囲を制限したり、又は、光学アクセサリーを使用する際の使用条件に反しないようにレンズ操作を行う必要があった。尚、本明細書では、光学アクセサリーを撮影レンズに装着した場合にケラレなどの不具合が生じないようにするための撮影レンズの撮影条件（焦点距離等）の範囲に関する制限を光学アクセサリーの使用条件というものとする。
【０００７】
従って、光学アクセサリーを使用する場合、操作者は、その光学アクセサリーの使用条件を事前に把握しておかなければならないという負担があり、また、その使用条件に反しないようにレンズ操作を行うことにも多大な注意が必要で負担が大きいという問題があった。
【０００８】
本発明はこのような事情に鑑みたもので、光学アクセサリーの使用条件に適合したレンズ操作を操作者の負担なく行えるようにした光学アクセサリー及びその光学アクセサリーが適用されるレンズ制御システムを提供することを目的とする。
【０００９】
【課題を解決するための手段】
前記目的を達成するために、請求項１に記載の発明は、撮影レンズの光学特性を変更するために該撮影レンズに着脱可能に装着される光学アクセサリーにおいて、前記光学アクセサリーが装着された撮影レンズの変更可能な撮影条件の範囲に関する制限を示す前記光学アクセサリーの使用条件を特定するためのデータを記憶したメモリを備えたことを特徴としている。
【００１０】
また、請求項２に記載の発明は、請求項１に記載の発明において、前記メモリに記憶されるデータは、前記光学アクセサリーが装着可能な撮影レンズの種類と該種類に対応した前記光学アクセサリーの使用条件を示したデータであることを特徴としている。
【００１１】
また、請求項３に記載の発明は、請求項１に記載の光学アクセサリーが適用されるレンズ制御システムであって、前記撮影レンズに装着された前記光学アクセサリーのメモリに記憶されたデータを取得し、該取得したデータに基づいて前記光学アクセサリーの使用条件に適合する撮影条件の範囲に制限して前記撮影レンズを制御することを特徴としている。
【００１２】
本発明によれば、光学アクセサリーを装着した撮影レンズにおいてケラレ等が生じないようにするための撮影条件（光学アクセサリーの使用条件）を、光学アクセサリーのメモリに記憶されたデータによって特定することができるため、そのデータを読み出して自動的に撮影レンズをその撮影条件の範囲に制限して制御することができ、光学アクセサリーによってケラレが生じる不具合などなく、また、操作者がそのための光学アクセサリーの使用条件を意識することなくレンズ操作を行うことができる。
【００１３】
【発明の実施の形態】
以下添付図面に従って本発明に係る光学アクセサリー及びその光学アクセサリーが適用されるレンズ制御システムの好ましい実施の形態について詳述する。
【００１４】
図１は、本発明が適用されるレンズシステム全体を示した図である。同図に示す撮影レンズ１０は、焦点距離が可変のいわゆるＥＮＧタイプのズームレンズであり、その後端側（図中右側）が図示しないテレビカメラ本体のマウントに装着されるようになっている。撮影レンズ１０には、主に、前端側（図中左側）からピント合わせのためのフォーカスレンズ群、焦点距離を変更するための変倍レンズ群、絞り調整のための絞り、被写体光を結像するためのリレーレンズ群などが配置されている。また、撮影レンズ１０の鏡胴周辺部には図示しないフォーカスリング、ズームリング、アイリスリングなどが回動可能に設けられており、フォーカスリングを回動操作するとフォーカスレンズ群が光軸方向に移動し、ズームリングを回動操作すると変倍レンズ群が光軸方向に移動し、アイリスリングを回動操作すると絞りの開口径が開閉動作するようになっている。従って、フォーカスリング、ズームリング、アイリスリングの回動操作によってそれぞれ撮影レンズ１０のフォーカス、ズーム、アイリスの状態を変更することができる。
【００１５】
撮影レンズ１０の鏡胴側部には、フォーカスリング、ズームリング、アイリスリングをモータ駆動するためのドライブユニット（撮影レンズ１０の制御装置）１２が設置されている。ドライブユニット１２には、フォーカスリング、ズームリング、アイリスリングのそれぞれに連結されたモータや各モータを駆動制御するための制御回路（ＣＰＵ２２等）等が搭載されており、各モータを駆動制御することによって撮影レンズ１０のフォーカス、ズーム、アイリスを電動で所望の状態に制御することができるようになっている。
【００１６】
ドライブユニット１２には、例えば、ズームシーソースイッチ１４のようなマニュアル操作部材が設けられており、そのマニュアル操作部材の操作によって操作者がドライブユニット１２の制御内容を指示することができるようになっている。例えば、ズームシーソースイッチ１４には、ズームをワイド（Ｗ）側とテレ（Ｔ）側に操作する操作方向があり、ズームシーソースイッチ１４をワイド側の操作方向に操作（押込み操作）すると、その押込み量に応じた速度で撮影レンズ１０のズーム（焦点距離）をワイド側に動作させることができる。また、ドライブユニット１２の制御内容を外部から入力する制御信号によって指示することも可能であり、例えばオートアイリスの際のアイリスの制御内容は、テレビカメラ本体からドライブユニット１２に入力される制御信号によって指示される。
【００１７】
また、撮影レンズ１０の前端側には、テレコンバータ、ワイドコンバータ、レシオコンバータ等の各種光学アクセサリー１６が装着できるようになっている。尚、撮影レンズ１０の後端側に装着される光学アクセサリー（エクステンダー）もある。
【００１８】
光学アクセサリー１６は、その用途に応じた光学特性に撮影レンズ１０の光学特性を変更する光学部材（レンズ等）と、その光学部材を保持する保持枠とを備えており、保持枠の後端側が撮影レンズ１０の鏡胴前端にネジ止め等によって固定されるようになっている。また、その保持枠には、光学アクセサリー１６の使用条件に関するデータ（詳細は後述）を記憶したメモリ（例えば読取専用のメモリ（ＲＯＭ））１８が設置されており、そのメモリ１８のデータをケーブル２０を介して外部機器で読み出せるようになっている。尚、メモリ１８は、光学アクセサリーの保持枠内の空洞部に埋設してもよいし、保持枠の外表面等に設置してもよく、光学アクセサリー１６の所望の箇所に設ければよい。
【００１９】
上記ドライブユニット１２には上記光学アクセサリー１６のケーブル２０を接続するコネクタ（図示せず）が設けられており、光学アクセサリー１６を使用する際にケーブル２０側のコネクタをドライブユニット１２側のコネクタに接続すると、ドライブユニット１２に搭載されたＣＰＵ２２によってメモリ１８に記憶されデータが読み取られるようになっている。尚、メモリ１８からのデータの読み取りは、ドライブユニット１２の電源投入時やケーブル２０がドライブユニット１２に接続されたとき等に行われる。
【００２０】
ドライブユニット１２のＣＰＵ２２は、光学アクセサリー１６のメモリ１８から読み取ったデータに基づいて光学アクセサリー１６の使用条件を把握し、その使用条件に反しない範囲で撮影レンズ１０の撮影条件、即ち、フォーカス、ズーム、アイリス等の状態を制御する。
【００２１】
以下、光学アクセサリー１６としてテレコンバータ（以下、テレコンバータ１６という）を撮影レンズ１０に装着する場合について図２に示した上記レンズシステムの制御ブロック図を用いて具体的に説明する。テレコンバータ１６を撮影レンズ１０に装着した場合、撮影レンズ１０のズームをワイド側に変化させていくとある焦点距離よりワイド側で像のケラレが生じるとする。このとき、そのケラレが生じる焦点距離の値がテレコンバータ１６の使用条件を示すデータとして事前に（工場出荷時等）にメモリ１８に記録される。例えば、図３に示すように撮影レンズ１０のズームの変更可能な範囲が焦点距離の値で８ｍｍ〜１２０ｍｍとし、テレコンバータ１６を撮影レンズ１０に装着したときにケラレが生じる焦点距離が９ｍｍ（テレコンバータ１６を装着していないときの焦点距離に換算した値）よりワイド側とする。このときテレコンバータ１６の使用条件は９ｍｍ〜１２０ｍｍの範囲であり、その使用条件を示すデータとしてメモリ１８には例えば９ｍｍというデータ（９という値のデータ、又は、焦点距離が９ｍｍとなるズームの位置データ）が記憶される。
【００２２】
また、このテレコンバータ１６が異なる種類の撮影レンズに装着可能な場合、装着する撮影レンズの種類によっても使用条件が異なるため、装着可能な撮影レンズの種類を特定するデータ（型名、レンズ倍率等）と共に、各種類の撮影レンズでの使用条件を示すデータとが対応付けされてメモリ１８に記録される。
【００２３】
ドライブユニット１２のＣＰＵ２２は、ドライブユニット１２の所定のコネクタに接続されたケーブル２０を介してテレコンバータ１６のメモリ１８から撮影レンズ１０の種類（自己の撮影レンズの種類）に対応付けされた使用条件を示すデータを読み取る。そして、そのデータによってテレコンバータ１６を使用したときの使用条件を把握する。上述の例（図３参照）では９ｍｍよりワイド側でケラレが生じることがメモリ１８から読み取ったデータにより示されるため、テレコンバータ１６を使用しない場合の値に換算して焦点距離が９ｍｍ〜１２０ｍｍの範囲を使用条件として把握する。そして、ＣＰＵ２２は、ズームの制御範囲をその使用条件の範囲内に制限する。
【００２４】
例えば、ズームシーソースイッチ１４の操作に基づいてズームを制御する場合、ＣＰＵ２２は、ズームシーソースイッチ１４の押込み方向（ワイド側又はテレ側）と、その押込み量を検出し、その押込み方向に対応した方向に、且つ、押込み量に対応した速度でズームリング２８に連結されたモータ２６をドライバ２４を介して駆動する。その際、モータ２６の回転位置をポテンショメータ３０によって検出する。そして、ズームをテレ側からワイド側に動作させる操作がズームシーソースイッチ１４により行われているとして、ポテンショメータ３０によって検出された位置が焦点距離にして９ｍｍに相当する位置に達したときには、その位置よりもワイド側にズームを動作させる操作がズームシーソースイッチ１４により継続して行われたとしてもズームを９ｍｍの焦点距離の位置で停止させる。これによって、ズームの可動範囲はテレコンバータ１６の使用条件に適合した範囲に制限され、操作者はケラレが生じる不安なくズームを操作することができる。
【００２５】
以上、上記説明では、ズームの動作範囲の制限が必要な光学アクセサリーを撮影レンズ１０に装着する場合について説明したが、フォーカスやアイリスなどの他の撮影条件の範囲に関する制限が必要な光学アクセサリーを撮影レンズ１０に装着する場合についてもその制限を示す使用条件を示すデータを光学アクセサリーのメモリに記憶させておき、そのデータに基づいて撮影レンズ１０の変更可能な撮影条件の範囲を制限して撮影レンズ１０を制御するようにすることができる。
【００２６】
また、上記実施の形態では、光学アクセサリーの使用条件を示すデータを光学アクセサリーのメモリに記憶させるようにしたが、光学アクセサリーのメモリにはその光学アクセサリーの種類を示すデータのみを記憶させておき、その光学アクセサリーでの使用条件を示すデータをドライブユニット１２側に記憶させておくようにしてもよい。この場合において、撮影レンズ１０に装着できる光学アクセサリーの種類が複数ある場合には、光学アクセサリーの種類と対応付けて各種類の光学アクセサリーの使用条件を示すデータをドライブユニット１２のメモリに記憶させておき、光学アクセサリーのメモリから読み取った光学アクセサリーの種類に対応するデータを特定できるようにしておけばよい。
【００２７】
また、上記実施の形態では、撮影レンズ１０の所定の撮影条件をマニュアル操作に基づいて変更する場合にその撮影条件の変更可能な範囲を撮影レンズ１０に装着される光学アクセサリー１６の使用条件に適合する範囲に制限する場合に相当する例を説明したが、本発明は、撮影レンズ１０の所定の撮影条件を自動で変更する場合（オートフォーカス等）にその撮影条件の変更可能な範囲を撮影レンズ１０に装着される光学アクセサリー１６の使用条件に適合する範囲に制限する場合にも適用できる。
【００２８】
また、上記実施の形態では光学アクセサリー１６のメモリ１８のデータは工場出荷時等に記録するようにしたが、メモリ１８に書き換え可能なＥＥＰＲＯＭ等を使用し、新たな種類の撮影レンズに対応するデータを適宜追加できるようにしてもよい。
【００２９】
また、上記実施の形態では、光学アクセサリー１６の撮影レンズ１０への装着と、光学アクセサリー１６のメモリ１８のドライブユニット１２（ＣＰＵ２２）への接続は、別作業で行う必要があったが、光学アクセサリー１６を撮影レンズ１０に装着すると同時に光学アクセサリー１６のメモリ１８をドライブユニット１２に接続できるようにすることもできる。尚、この場合の光学アクセサリー１６や撮影レンズ１０の構成は上記実施の形態と異なるが同一符号を用いる。図４はその光学アクセサリー１６を後面側から示した図であり、光学アクセサリー１６の保持枠３２の後端にメモリ１８に接続されたコネクタ３３が埋設され、そのコネクタ３３のピン（おす）３４、３４、３４が突設される。図５はその光学アクセサリー１６を撮影レンズ１０に装着した状態を示した側面断面図である。撮影レンズ１０の鏡胴３７の前端側にはコネクタ３５が埋設されており、そのコネクタ３５に、光学アクセサリー１６のコネクタ３３のピン（おす）３４、３４、３４に対向してピン（めす）３６、３６、３６（２つは不図示）が設けられている。そして、光学アクセサリー１６を撮影レンズ１０に装着すると、光学アクセサリー１６のコネクタ３３のピン（おす）３４とそれに対向する撮影レンズ１０のコネクタ３５のピン（めす）３６が嵌合するようになっている。撮影レンズ１０のコネクタ３５は図示しない伝送線によってドライブユニット１２のＣＰＵ２２に接続されており、光学アクセサリー１６を撮影レンズ１０に装着することによって光学アクセサリー１６のメモリ１８のデータをドライブユニット１２のＣＰＵ２２で読み取ることができる。
【００３０】
【発明の効果】
以上説明したように本発明によれば、光学アクセサリーを装着した撮影レンズにおいてケラレ等が生じないようにするための撮影条件（光学アクセサリーの使用条件）を、光学アクセサリーのメモリに記憶されたデータによって特定することができるため、そのデータを読み出して自動的に撮影レンズをその撮影条件の範囲に制限して制御することができ、光学アクセサリーによってケラレが生じる不具合などなく、また、操作者がそのための光学アクセサリーの使用条件を意識することなくレンズ操作を行うことができる。
【図面の簡単な説明】
【図１】図１は、本発明が適用されるレンズシステム全体を示した図である。
【図２】図２は、本発明が適用されるレンズシステムの制御ブロック図である。
【図３】図３は、テレコンバータの使用条件の説明に使用した図である。
【図４】図４は、光学アクセサリーの他の実施の形態を後面側から示した図である。
【図５】図５は、図４の光学アクセサリーを撮影レンズに装着した状態を示した側面断面図である。
【符号の説明】
１０…撮影レンズ、１２…ドライブユニット、１４…ズームシーソースイッチ、１６…光学アクセサリー、１８…メモリ、２０…ケーブル、２２…ＣＰＵ、２４…ドライバ、２６…モータ、２８…ズームリング、３０…ポテンショメータ
【図１】
2004295004.tif 000003
【図２】
2004295004.tif 000004
【図３】
2004295004.tif 000005
【図４】
2004295004.tif 000006
【図５】
2004295004.tif 000007